(57)【要約】【課題】高い座り心地を確保しつつ、容易に同じ姿勢を保つことができる技術を提供すること。【解決手段】椅子１０のフレーム１１，１１に取り付けられ、着座者の臀部Ｂｕ又は背面部Ｂａを支える支持構造物２０，４０は、フレーム１１，１１に渡される枠状部材２１，４１と、この枠状部材２１，４１に張設されるメッシュ状且つ樹脂製の膜状部材２２，４２と、この膜状部材２２，４２の表面に設けられ着座者の移動を防止するストッパ３０，５０とからなる。【効果】膜状部材２２，４２の表面には、着座者の移動を防止するストッパ３０，５０が設けられている。着座者は、ストッパ３０，５０によって移動を防止される。即ち、ストッパ３０，５０は、着座者が同じ姿勢を保つことを補助する。これにより、着座者は、容易に同じ姿勢を保つことができる。【選択図】図１
2015016232.tif 000002
【特許請求の範囲】
【請求項１】
フレームに取り付けられ着座者の臀部又は背面部を支える支持構造物であって、
前記フレームに張設される樹脂製の糸から構成されたメッシュ状の膜状部材と、この膜状部材の少なくとも表面側に設けられ前記着座者の移動を防止するストッパとからなることを特徴とする支持構造物。
【請求項２】
フレームに取り付けられ着座者の臀部を支える支持構造物であって、
前記フレームに張設される樹脂製の糸から構成されたメッシュ状の膜状部材と、この膜状部材の少なくとも表面側に設けられ前記着座者の移動を防止するストッパとからなり、
前記ストッパは、少なくとも前記膜状部材の前部に設けられていることを特徴とする支持構造物。
【請求項３】
フレームに取り付けられ着座者の背面部を支える支持構造物であって、
前記フレームに張設される樹脂製の糸から構成されたメッシュ状の膜状部材と、この膜状部材の少なくとも表面側に設けられ前記着座者の移動を防止するストッパとからなり、
前記ストッパは、少なくとも前記着座者の腰部に対応する部位に設けられていることを特徴とする支持構造物。
【請求項４】
前記ストッパの素材には、ポリプロピレン、ポリエチレン、サーモポリオレフィン、熱可塑性ポリウレタン又はエチレン酢酸ビニル共重合体のいずれかが用いられていることを特徴とする請求項１〜請求項３のいずれか１項記載の支持構造物。
【請求項５】
前記ストッパは、前記フレームの幅方向に渡って延びている基部と、この基部から垂直に延びる複数の垂直部とからなる櫛形形状を呈することを特徴とする請求項１〜請求項４のいずれか１項記載の支持構造物。
【請求項６】
前記ストッパは、射出成形により膜状部材に形成されていることを特徴とする請求項１〜請求項４のいずれか１項記載の支持構造物。
【請求項７】
請求項１〜請求項６のいずれか１項記載の支持構造物が前記フレームに取付けられていることを特徴とする椅子。
【発明の詳細な説明】
【技術分野】
【０００１】
本発明は、椅子に取付けられる支持構造物の改良技術に関する。
【背景技術】
【０００２】
椅子には、着座者の臀部を支える着座部及び着座者の背面部を支える背もたれ部が設けられている物がある。これらの着座部及び背もたれ部は、着座者を支持する支持構造物ということができる。支持構造物は、フレームに張設され、樹脂製の糸を織る又は編む事によって構成されたメッシュ状の膜状部材を有する（例えば、特許文献１（図１）参照。）。特許文献１を図９に基づいて説明する。
【０００３】
図９に示されるように、椅子１００は、脚部１０１と、この脚部１０１の上部に取り付けられているフレーム１０２と、このフレーム１０２に張設されているメッシュ状の膜状部材１０３とからなる。膜状部材１０３は、着座者が着座する座面部１０４及び着座者の背面部を支持する背もたれ部１０５を一体に構成する。膜状部材１０３の素材には、合成樹脂が用いられている。
【０００４】
メッシュ状の膜状部材１０３は、通気性に優れ、着座者の座り心地を高めることができる。しかし、膜状部材１０３は、素材に合成樹脂が用いられているため滑りやすい。このため、長時間同じ姿勢を保つことが困難である。特に、背凭れに凭れることによりリラックス姿勢を採ることが可能な椅子においては、着座者が前方に滑りやすい。そこで、高い座り心地を確保しつつ、容易に同じ姿勢を保つことができる技術の提供が望まれる。
【先行技術文献】
【特許文献】
【０００５】
【特許文献１】特開２０１１−４５５６９号公報
【発明の概要】
【発明が解決しようとする課題】
【０００６】
本発明は、高い座り心地を確保しつつ、容易に同じ姿勢を保つことができる技術の提供を課題とする。さらには、外観性の向上、着座者の座り心地の向上、フレームへ着座者が直接的に当接することを抑制することができる技術の提供をも課題とする。
【課題を解決するための手段】
【０００７】
請求項１に係る発明は、フレームに取り付けられ着座者の臀部又は背面部を支える支持構造物であって、
前記フレームに張設される樹脂製の糸から構成されたメッシュ状の膜状部材と、この膜状部材の少なくとも表面側に設けられ前記着座者の移動を防止するストッパとからなることを特徴とする。
【０００８】
請求項２に係る発明は、フレームに取り付けられ着座者の臀部を支える支持構造物であって、
前記フレームに張設される樹脂製の糸から構成されたメッシュ状の膜状部材と、この膜状部材の少なくとも表面側に設けられ前記着座者の移動を防止するストッパとからなり、
前記ストッパは、少なくとも前記膜状部材の前部に設けられていることを特徴とする。
【０００９】
請求項３に係る発明は、フレームに取り付けられ着座者の背面部を支える支持構造物であって、
前記フレームに張設される樹脂製の糸から構成されたメッシュ状の膜状部材と、この膜状部材の少なくとも表面側に設けられ前記着座者の移動を防止するストッパとからなり、
前記ストッパは、少なくとも前記着座者の腰部に対応する部位に設けられていることを特徴とする。
【００１０】
請求項４に係る発明は、前記ストッパの素材には、ポリプロピレン、ポリエチレン、サーモポリオレフィン、熱可塑性ポリウレタン又はエチレン酢酸ビニル共重合体のいずれかが用いられていることを特徴とする。
【００１１】
請求項５に係る発明では、前記ストッパは、前記枠体の幅方向に渡って延びている基部と、この基部から垂直に延びる複数の垂直部とからなることを特徴とする。
【００１２】
請求項６に係る発明では、前記ストッパは、射出成形により膜状部材に形成されていることを特徴とする。
【００１３】
請求項７に係る発明は、請求項１〜請求項６のいずれか１項記載の支持構造物が前記フレームに取付けられていることを特徴とする。
【発明の効果】
【００１４】
請求項１に係る発明では、膜状部材の少なくとも表面側には、着座者の移動を防止するストッパが設けられている。着座者は、ストッパによって移動を防止される。即ち、ストッパは、着座者が同じ姿勢を保つことを補助する。これにより、着座者は、容易に同じ姿勢を保つことができる。
【００１５】
加えて、ストッパの形状は、任意の形状を選択することができる。これにより、膜状部材の表面にストッパが形成されていないものに比べて、デザイン性を向上させることができる。即ち、外観性を向上させることができる。
【００１６】
さらに、着座者は、ストッパによって移動を防止されるため、容易にリラックスした姿勢を保つことができる。これにより、座り直す回数を削減することができ、長時間同じ姿勢を保つことが容易になる。このため、膜状部材の表面にストッパが形成されていないものに比べて、着座者に高い座り心地を与えることができる。即ち、座り心地の向上を図ることができる。
【００１７】
加えて、ストッパによって移動が防止されることにより、着座者は、膜状部材に接触した状態を保つことができる。これにより、膜状部材の外周に設けられている枠状部材への接触を抑制することができる。枠状部材は、膜状部材を支持するために、膜状部材に比べて高い剛性が付与されている。一方、膜状部材は、着座者が接触する部位であるため、適度に撓む構成とされている。このため、着座者が接触した場合に受ける当たり感は、枠状部材よりも膜状部材の方が高く設定されている。枠状部材への接触を防止することにより、さらに高い座り心地を確保することができる。
【００１８】
請求項２に係る発明では、ストッパは、少なくとも膜状部材の前部に設けられている。即ち、ストッパは、着座者の太股に対応する部位に設けられている。着座者が滑る際には、着座者の太股が座面に沿って前方に滑ることがある。このため、着座者の太股が前方に向かって滑ることを抑制することにより、着座者の滑りを抑制する。これにより、着座者は、容易に同じ姿勢を保つことができる。
【００１９】
加えて、ストッパの形状は、任意の形状を選択することができる。これにより、膜状部材の表面にストッパが形成されていないものに比べて、デザイン性を向上させることができる。即ち、外観性を向上させることができる。
【００２０】
さらに、着座者は、ストッパによって移動を防止されるため、容易にリラックスした姿勢を保つことができる。これにより、座り直す回数を削減することができ、長時間同じ姿勢を保つことが容易になる。このため、膜状部材の表面にストッパが形成されていないものに比べて、着座者に高い座り心地を与えることができる。即ち、座り心地の向上を図ることができる。
【００２１】
加えて、ストッパによって移動が防止されることにより、着座者は、膜状部材に接触した状態を保つことができる。これにより、膜状部材の外周に設けられている枠状部材への接触を抑制することができる。枠状部材は、膜状部材を支持するために、膜状部材に比べて高い剛性が付与されている。一方、膜状部材は、着座者が接触する部位であるため、適度に撓む構成とされている。このため、着座者が接触した場合に受ける当たり感は、枠状部材よりも膜状部材の方が高く設定されている。枠状部材への接触を防止することにより、さらに高い座り心地を確保することができる。
【００２２】
請求項３に係る発明では、ストッパは、少なくとも着座者の腰部（背面部の下部）に対応する部位に設けられている。着座者が滑る際には、着座者の腰部が下方に向かって滑ることがある。このため、着座者の腰部が下方に向かって滑ることを抑制することにより、着座者の下方への滑りを抑制する。これにより、着座者は、容易に同じ姿勢を保つことができる。
【００２３】
加えて、ストッパの形状は、任意の形状を選択することができる。これにより、膜状部材の表面にストッパが形成されていないものに比べて、デザイン性を向上させることができる。即ち、外観性を向上させることができる。
【００２４】
さらに、着座者は、ストッパによって移動を防止されるため、容易にリラックスした姿勢を保つことができる。これにより、座り直す回数を削減することができ、長時間同じ姿勢を保つことが容易になる。このため、膜状部材の表面にストッパが形成されていないものに比べて、着座者に高い座り心地を与えることができる。即ち、座り心地の向上を図ることができる。特に、ストッパを腰部に対応する部位に設けた場合には、ストッパは、ランバーサポートの役割を果たす。
【００２５】
加えて、ストッパによって移動が防止されることにより、着座者は、膜状部材に接触した状態を保つことができる。これにより、膜状部材の外周に設けられている枠状部材への接触を抑制することができる。枠状部材は、膜状部材を支持するために、膜状部材に比べて高い剛性が付与されている。一方、膜状部材は、着座者が接触する部位であるため、適度に撓む構成とされている。このため、着座者が接触した場合に受ける当たり感は、枠状部材よりも膜状部材の方が高く設定されている。枠状部材への接触を防止することにより、さらに高い座り心地を確保することができる。
【００２６】
請求項４に係る発明では、ストッパの素材には、ポリプロピレン、ポリエチレン、サーモポリオレフィン、熱可塑性ポリウレタン又はエチレン酢酸ビニル共重合体のいずれかが用いられている。これらは、いずれも弾性率の低い材料である。即ち、容易に弾性変形させることのできる材料である。ストッパは、弾性変形したことにより生じる元の形状に戻ろうとする力により、着座者の移動を抑制するものと考えられる。着座者がストッパに接触した際に、容易に弾性変形する素材を用いることにより、着座者の移動に対して容易に抗力を発生させることができる。このため、より確実に着座者の滑りを抑制し、着座者は、容易に同じ姿勢を保つことができる。
【００２７】
請求項５に係る発明では、ストッパは、枠体の幅方向に渡って延びている基部と、この基部から垂直に延びる複数の垂直部とからなる櫛形形状を呈している。櫛形形状を採用することにより、少ない素材によって広い範囲にストッパを設けることができる。また、櫛形形状を採用することにより、ストッパの設けられる面積を小さくする。これにより、メッシュ状の膜状部材の通気性を確保しつつ、着座者の滑りを抑制することができる。
【００２８】
請求項６に係る発明では、ストッパは、射出成形により膜状部材に形成されている。ストッパを膜状部材に対して射出成形により成形する場合には、膜状部材の成形作業が容易であり、好適である。
【００２９】
請求項７に係る椅子は、請求項１〜請求項６のいずれか１項記載の支持構造物が前記フレームに取付けられている。このような椅子によれば、着座者は、容易に同じ姿勢を保つことができる。
【図面の簡単な説明】
【００３０】
【図１】本発明の実施例１による支持構造物が採用された椅子の斜視図である。
【図２】図１の２−２線断面図である。
【図３】図１に示された椅子の作用を説明する図である。
【図４】本発明の実施例２による支持構造物が採用された椅子の斜視図である。
【図５】本発明の実施例３による支持構造物が採用された椅子の斜視図である。
【図６】本発明の実施例４による支持構造物が採用された椅子の斜視図である。
【図７】本発明の実施例５による支持構造物が採用された椅子の斜視図である。
【図８】本発明の実施例６による支持構造物が採用された椅子の斜視図である。
【図９】従来の技術の基本構成を説明する図である。
【発明を実施するための形態】
【００３１】
本発明の実施の形態を添付図に基づいて以下に説明する。
なお、説明中、前後左右は着座者を基準として前後左右を指す。また、図中Ｆｒは着座者から見て前、Ｒｒは着座者から見て後、Ｌは着座者から見て左、Ｒは着座者から見て右、Ｕｐは上、Ｄｗは下を示している。
【実施例１】
【００３２】
本発明の実施例１による支持構造物が採用された椅子について、図１に基づき説明する。
図１に示されるように、椅子１０は、左右一対のフレーム１１，１１に、着座者の臀部を支持する臀部支持構造物２０（座２０）及び着座者の背面部を支持する背面部支持構造物４０（背もたれ４０）を取り付けてなる。左右一対のフレーム１１，１１は、それぞれ、一本の金属パイプが６の字に曲げられて形成されている。
【００３３】
フレーム１１は、上端に背面部支持構造物４０が差し込まれる後部フレーム１１ａと、この後部フレーム１１ａの下端から前方に向かって延びているベースフレーム１１ｂと、このベースフレーム１１ｂの先端から上方に向かって延びている前フレーム１１ｃと、この前フレーム１１ｃの上端から後方に向かって延び上面に臀部支持構造物２０が載せられる座支持フレーム１１ｄとからなる。フレーム１１，１１間には、横架フレームが渡されている。この横架フレームを介してフレーム１１，１１は、一体的に形成されている。
【００３４】
臀部支持構造物２０は、左右のフレーム１１，１１間に渡されると共に矩形状を呈する臀部枠状部材２１と、この臀部枠状部材２１に周縁が支持されているメッシュ状の臀部膜状部材２２と、この臀部膜状部材２２に設けられ着座者の移動を抑制する臀部ストッパ３０とからなる。
【００３５】
臀部ストッパ３０は、着座者が接触した際に、着座者の移動を抑制するための部材である。このため、臀部膜状部材２２の少なくとも表面（着座面）側に設けられている必要がある。臀部ストッパ３０が臀部膜状部材２２の裏面側にまで形成されるか否かは、臀部ストッパ３０の形成方法による。
【００３６】
背面部支持構造物４０も基本的な構造は同様である。即ち、背面部支持構造物４０は、左右のフレーム１１，１１の上端に取り付けられる背面部枠状部材４１と、この背面部枠状部材４１に周縁が支持されているメッシュ状の背面部膜状部材４２と、この背面部膜状部材４２の表面（背面部の当接面）に設けられ着座者の移動を抑制する背面部ストッパ５０とからなる。
【００３７】
臀部支持構造物２０と、背面部支持構造物４０とは、フレーム１１に取り付けられると共に着座者を支持する点において共通している。これらの臀部支持構造物２０及び背面部支持構造物４０を、適宜「支持構造物２０，４０」という。
【００３８】
支持構造物２０，４０を構成する、臀部枠状部材２１と背面部枠状部材４１も同様に、それぞれの機能が共通する部材である。これらも、適宜「枠状部材２１，４１」という。以下、同様に臀部膜状部材２２と背面部膜状部材４２を、適宜「膜状部材２２，４２」といい、臀部ストッパ３０と背面部ストッパ５０を、適宜「ストッパ３０，５０」という。
【００３９】
臀部枠状部材２１及び臀部膜状部材２２は、共に樹脂を材料とする部材である。予め織られた樹脂素材からなる臀部膜状部材２２を射出成形型にセットし、射出成形を行うことにより、臀部膜状部材２２の周縁に臀部枠状部材２１を一体的に形成する。この後、臀部膜状部材２２に熱を加える。熱により、臀部膜状部材２２は、収縮し、所定の張力を得る。
【００４０】
臀部枠状部材２１が臀部膜状部材２２の外周縁に形成された直後には、臀部膜状部材２２は、臀部支持構造物２０としての必要な張力を有していない。このため、臀部膜状部材２１を加熱して収縮させることにより、臀部支持構造物２０として必要な弾力性を発揮させる張力を付与する。例えば、臀部枠状部材２１の素材には、ポリプロピレンが用いられ、臀部膜状部材２２の素材には、ポリエステルが用いられる。背面部支持構造物４０の成形方法及び素材も同様である。
【００４１】
図２に示されるように、臀部枠状部材２１は、前端が下方に向かって湾曲している。即ち、臀部枠状部材２１は、平坦な平坦部２１ａと、この平坦部２１ａの前端から前方に向かって下がるように湾曲する湾曲部２１ｂとからなる。
【００４２】
臀部枠状部材２１によって周縁が支持されている臀部膜状部材２２も同様である。即ち、臀部膜状部材２２は、臀部枠状部材２１の平坦部２１ａによって支持され平坦な平坦面部２２ａと、臀部枠状部材２１の湾曲部２１ｂによって支持され前方に向かって下がるよう湾曲している湾曲面部２２ｂとからなる。
【００４３】
臀部ストッパ３０は、厚みの分だけ臀部膜状部材２２の表面から突出しており、臀部膜状部材２２の前部に成形されている前部ストッパ３１と、臀部膜状部材２２の後部に成形されている後部ストッパ３２とからなる。臀部ストッパ３０の素材には、例えば、熱可塑性ポリウレタンが用いられる。前部ストッパ３１は、主に着座者の前方及び左右への移動を抑制するための部材である。同様に、後部ストッパ３２は、主に着座者の後方への移動を抑制するための部材である。
【００４４】
臀部ストッパ３０は、任意の方法によって臀部膜状部材２２に形成することができる。即ち、上述の方法の他にも、貼着、溶着、接着、３Ｄプリンタによる積層造形方法、流体物を塗布し固化させる方法等を採用することができる。
【００４５】
前部ストッパ３１は、臀部膜状部材２２の湾曲面部２２ｂに対応する部位から平坦面部２２ａに対応する部位に渡って設けられている。後部ストッパ３２は、臀部膜状部材２２の平坦面部２２ａに対応する部位にのみ設けられている。
【００４６】
図１に戻り、前部ストッパ３１は、櫛形形状を呈し、臀部膜状部材２２の湾曲面部２２ｂにおいて幅方向に渡って設けられている基部３１ａと、この基部３１ａから後方に向かって略垂直に延びる複数の垂直部３１ｂとからなる。前部ストッパ３１は、これらの基部３１ａ及び複数の垂直部３１ｂが一体的に形成されてなる。
【００４７】
垂直部３１ｂは、それぞれ長さが異なり、垂直部３１ｂのそれぞれの後端を結んだときに、後端がＷ字を描いている。即ち、垂直部３１ｂは、両端及び中央の長さが長く、これらの間が短く形成されている。
【００４８】
複数の後部ストッパ３２は、櫛形形状を呈し、平坦面部２２ａの後部において幅方向に渡って設けられている基部３２ａと、この基部３２ａから前方に向かって略垂直に延びる複数の垂直部３２ｂとからなる。後部ストッパ３２は、これらの基部３２ａ及び複数の垂直部３２ｂが一体的に形成されてなる。垂直部３２ｂは、それぞれ長さが異なり、両端から中央に向かって徐々に短くなる。垂直部３２ｂの前端を結んだ線は、後方に向かって突出する円弧形状を描く。
【００４９】
背面部枠状部材４１は、上部が後方に向かって傾斜している。即ち、背面部枠状部材４１は、フレーム１１，１１から一体的に延びている起立部４１ａと、この起立部４１ａの上端から起立部４１ａに対して後方に向かって傾斜している傾斜部４１ｂとからなる。
【００５０】
背面部枠状部材４１によって周縁が支持されている背面部膜状部材４２も同様である。即ち、背面部膜状部材４２は、背面部枠状部材４１の起立部４１ａによって支持されている一般面部４２ａと、背面部枠状部材４１の傾斜部４１ｂによって支持され後方に向かって傾斜している傾斜面部４２ｂとからなる。
【００５１】
背面部ストッパ５０は、厚みの分だけ背面部膜状部材４２の表面から突出しており、背面部膜状部材４２の下部に貼着されている下部ストッパ５１と、背面部膜状部材４２の上部に貼着されている上部ストッパ５２とからなる。背面部ストッパ５０の素材には、例えば、熱可塑性ポリウレタンが用いられる。下部ストッパ５１は、主に着座者の下方及び左右への移動を抑制するための部材である。同様に、上部ストッパ５２は、主に着座者の上方への移動を抑制するための部材である。
【００５２】
下部ストッパ５１は、背面部膜状部材４２の一般面部４２ａに対応する部位から傾斜面部４２ｂに対応する部位に渡って設けられている。上部ストッパ５２は、背面部膜状部材４２の傾斜面部４２ｂに対応する部位にのみ設けられている。
【００５３】
下部ストッパ５１は、櫛形形状を呈し、背面部膜状部材４２の一般面部４２ａにおいて幅方向に渡って設けられている基部５１ａと、この基部５１ａから上方に向かって略垂直に延びる複数の垂直部５１ｂとからなる。下部ストッパ５１は、これらの基部５１ａ及び複数の垂直部５１ｂが一体的に形成されてなる。
【００５４】
垂直部５１ｂは、それぞれ長さが異なり、両端から中央に向かって徐々に短くなる。下部ストッパ５１の垂直部５１ｂの上端を結んだ線は、下方に向かって突出する円弧形状を描く。
【００５５】
上部ストッパ５２は、櫛形形状を呈し、背面部膜状部材５２の傾斜面部４２ｂにおいて幅方向に渡って設けられている基部５２ａと、この基部５２ａから下方に向かって略垂直に延びる複数の垂直部５２ｂとからなる。上部ストッパ５２は、これらの基部５２ａ及び複数の垂直部５２ｂが一体的に形成されてなる。
【００５６】
垂直部５２ｂは、それぞれの長さが同じである。上部ストッパ５２の垂直部５２ｂの下端を結んだ線は、直線を描く。
【００５７】
ストッパ３０，５０の素材には、熱可塑性樹脂素材、あるいは熱可塑性エラストマー素材が用いられている。具体的には、ポリプロピレン（ＰＰ）、ポリエチレン（ＰＥ）、サーモポリオレフィン（ＴＰＯ）、熱可塑性ポリウレタン（ＴＰＵ）、エチレン酢酸ビニル共重合体（ＥＶＡ）、ポリアミド（ＰＡ、登録商標名「ナイロン」）、ポリブチレンテレフタレート（ＰＢＴ）、ポリカーボネート（ＰＣ）、ポリエチレンテレフタレート（ＰＥＴ）を用いることができる。
【００５８】
これらのうち、ポリプロピレン、ポリエチレン、サーモポリオレフィン、熱可塑性ポリウレタン、エチレン酢酸ビニル共重合体、ポリアミド（ガラス繊維入りを含まない）は、弾性率が低く望ましい。
【００５９】
特に、ポリプロピレン（ガラス繊維入りを含まない）、ポリエチレン、サーモポリオレフィン、熱可塑性ポリウレタン、エチレン酢酸ビニル共重合体は、弾性率が適度であり特に望ましい。
【００６０】
なお、ストッパ３０，５０は、膜状部材２２，４２に貼着される他、膜状部材２２，４２に一体成形されていても良い。即ち、着座者の移動を抑制するストッパ３０，５０が膜状部材２２，４２の表面に設けられていることが重要であり、その形成方法には、任意の方法を選択することができる。このような支持構造物２０，４０の作用について、次図において詳細に説明する。
【００６１】
図３（ａ）に示されるように、臀部ストッパ３０は、着座者の臀部Ｂｕを囲うように設けられている。なお、この臀部Ｂｕは、平均的な成人男性の臀部の大きさを想定している。矢印によって示されるように、臀部膜状部材２２の上面において、着座者の臀部Ｂｕが移動することがある。移動することにより、着座者の臀部Ｂｕは、臀部ストッパ３０に接触する。臀部ストッパ３０が抵抗となり、着座者の移動が抑制される。
【００６２】
前部ストッパ３１は、臀部膜状部材２２の前部に設けられている。即ち、前部ストッパ３１は、着座者の太股Ｔｈに対応する部位に設けられている。着座者が滑る際には、着座者の太股Ｔｈが座面に沿って前方に滑る。このため、着座者の太股Ｔｈが前方に向かって滑ることを抑制することにより、着座者の滑りを抑制する。これにより、着座者は、容易に同じ姿勢を保つことができる。
【００６３】
即ち、着座者は、臀部ストッパ３０によって移動を防止されるため、容易にリラックスした姿勢を保つことができる。これにより、座り直す回数を削減することができ、長時間同じ姿勢を保つことが容易になる。このため、臀部膜状部材２２の表面にストッパが形成されていないものに比べて、着座者に高い座り心地を与えることができる。即ち、座り心地の向上を図ることができる。
【００６４】
加えて、臀部ストッパ３０の形状は、任意の形状を選択することができる。これにより、臀部膜状部材２２の表面に臀部ストッパ３０が形成されていないものに比べて、デザイン性を向上させることができる。即ち、外観性を向上させることができる。
【００６５】
さらに、臀部ストッパ３０によって移動が防止されることにより、着座者は、臀部膜状部材２２に接触した状態を保つことができる。これにより、臀部膜状部材２２の外周に設けられている臀部枠状部材２１への接触を抑制することができる。臀部枠状部材２１は、臀部膜状部材２２を支持するために、臀部膜状部材２２に比べて高い剛性が付与されている。一方、臀部膜状部材２２は、着座者が接触する部位であるため、適度に撓む構成とされている。このため、着座者が接触した場合に受ける当たり感は、臀部枠状部材２１よりも臀部膜状部材２２の方が高く設定されている。臀部枠状部材２１への接触を防止することにより、さらに高い座り心地を確保することができる。
【００６６】
加えて、前部ストッパ３１は、椅子１０の幅方向に渡って延びている基部３１ａと、この基部３１ａから垂直に延びる複数の垂直部３１ｂとからなる。これにより、前部ストッパ３１は櫛形形状を呈している。櫛形形状を採用することにより、少ない素材によって広い範囲に前部ストッパ３１を設けることができる。また、櫛形形状を採用することにより、前部ストッパ３１の設けられる面積を小さくする。これにより、メッシュ状の臀部膜状部材２２の通気性を確保しつつ、着座者の滑りを抑制することができる。
【００６７】
さらに、櫛形形状とされることにより、臀部ストッパ３０は、臀部支持構造物２０の幅方向を基準として断続的に形成される。断続的に形成されていることにより、着座者の臀部Ｂｕに対する臀部ストッパ３０の接触面積を削減することができる。臀部Ｂｕ全体に臀部ストッパ３０が接触している場合には、臀部Ｂｕの全体が臀部ストッパ３０から抵抗を受ける。臀部ストッパ３０の接触面積を削減することにより、着座時の快適性を高めることができる。
【００６８】
さらに、櫛形形状を採用することにより、前部ストッパ３１（ストッパ）を一体物とすることができる。前部ストッパ３１を臀部膜状部材２２（膜状部材）に貼り付ける構成を採用した場合には、前部ストッパ３１を一体物とすることにより、貼り付け作業が容易になる。前部ストッパ３１を臀部膜状部材２２に貼り付ける構成を採用した場合には、既存の椅子に対しても前部ストッパ３１を貼り付けることができ、本発明の効果を得ることができる。
【００６９】
仮に、櫛形形状の臀部ストッパ３０を臀部膜状部材２２に対して射出成形により成形する場合には、成形金型の１箇所のゲートから樹脂を流し込むことにより、臀部ストッパ３０を成形することが可能となる。金型内に複数箇所のゲートを設ける必要がなくなり、好適である。また、射出成形により成形する場合には、膜状部材の成形作業が容易であり、好適である。
【００７０】
特に、臀部ストッパ３０は、前後方向中央部を避けて設けられている。臀部支持構造物２０の前後方向中央部は、着座者の臀部Ｂｕが接触する部位である。即ち、臀部Ｂｕが直接接触する部位を避けて、臀部ストッパ３０が設けられている。さらに確実に、メッシュ状の臀部膜状部材２２の通気性を確保しつつ、着座者の滑りを抑制することができる。
【００７１】
さらに、前部ストッパ３１（臀部ストッパ３０）の垂直部３１ｂは複数形成され、これらの後端（端部）を結んだ線は、両端及び幅方向中央が後方（前後方向中央）に突出するＷ字を描く。これにより、前部ストッパ３１の垂直部３１ｂは、後端が着座者の臀部Ｂｕに沿って設けられることになる。着座者が所定量移動した際に、より確実に前部ストッパ３１に接触させることができる。
【００７２】
加えて、垂直部３１ｂは、それぞれの長さが異なる。臀部膜状部材２２のなかの、垂直部３１ｂが形成されていない部位は、垂直部３１ｂが形成されている部位に比べて、撓みやすい。臀部膜状部材２２の部位によって撓みやすさを異ならせることにより、より快適な座り心地を得ることができる。
【００７３】
また、垂直部３２ｂは複数形成され、これらの前端を結んだ線は、両端が前方に突出する略円弧形状を描く。これにより、垂直部３２ｂは、着座者の臀部Ｂｕの後側部に沿って設けられることになる。このような形状の場合にも、着座者が所定量移動した際に、より確実に垂直部３２ｂに接触させることができる。
【００７４】
臀部ストッパ３０の形状についてまとめると、以下のようにいうことができる。着座者の移動量をもっとも確実に抑制することができるのは、先端の描く線がＷ字状の場合である。この場合は、幅方向中央においても着座者の移動を抑制することができる。しかし、ストッパの先端が円弧形状である場合にも、着座者の前後及び左右の両方向への移動を抑制することができ、有益である。
【００７５】
図３（ｂ）に示されるように、背面部ストッパ５０は、着座者の背面部Ｂａを囲うように（特に背面部Ｂａの下部を囲うように）設けられている。なお、この背面部Ｂａは、平均的な成人男性の背面部の大きさを想定している。着座者は、矢印で示される範囲内において、上下方向及び左右方向に移動することができる。しかし、矢印で示される範囲を超えて移動する場合には、背面部ストッパ５０が抵抗となる。このため、着座者の移動が抑制される。
【００７６】
着座者が滑る際には、着座者の背面部Ｂａが下方に向かって滑ることがある。このため、着座者の背面部Ｂａが下方に向かって滑ることを抑制することにより、着座者の下方への滑りを抑制する。これにより、着座者は、容易に同じ姿勢を保つことができる。
【００７７】
図３（ａ）も併せて参照し、ストッパ３０，５０の素材に、ポリプロピレン、ポリエチレン、サーモポリオレフィン、熱可塑性ポリウレタン又はエチレン酢酸ビニル共重合体のいずれかが用いられている場合には、さらに以下のことがいえる。
【００７８】
ポリプロピレン、ポリエチレン、サーモポリオレフィン、熱可塑性ポリウレタン及びエチレン酢酸ビニル共重合体、いずれも弾性率の低い材料である。即ち、容易に弾性変形させることのできる材料である。ストッパ３０，５０は、弾性変形したことにより生じる元の形状に戻ろうとする力により、着座者の移動を抑制するものと考えられる。着座者がストッパ３０，５０に接触した際に、容易に弾性変形する素材を用いることにより、着座者の移動に対して容易に抗力を発生させることができる。このため、より確実に着座者の滑りを抑制し、着座者は、容易に同じ姿勢を保つことができる。
【実施例２】
【００７９】
次に、本発明の実施例２を図面に基づいて説明する。図４には、実施例２による支持構造物が採用された椅子が示され、上記図１に対応させて表している。実施例１に対してストッパを変更した。
【００８０】
図４に示されるように、椅子１０Ａは、金属製のフレーム１１と、このフレーム１１に取り付けられ着座者の臀部を支持する臀部支持構造物２０Ａと、フレーム１１に取り付けられ着座者の背面部を支持する背面部支持構造物４０Ａとからなる。
【００８１】
臀部支持構造物２０Ａに設けられている臀部ストッパ３０Ａは、前部ストッパ３１Ａと、後部ストッパ３２Ａとからなる。前部及び後部ストッパ３１Ａ，３２Ａには、共に板状の部材が用いられている。板状のストッパは、櫛状の物に比べて捻り剛性が高く、臀部膜状部材２２への貼り付けが容易になる。
【００８２】
前部ストッパ３１Ａの後端は、着座者の臀部に沿うよう、略Ｗ字状に形成されている。また、前部及び後部ストッパ３１Ａ，３２Ａは、通常時において着座者の臀部が接触する部位を避けて設けられている。
【００８３】
背面部支持構造物４０Ａに設けられている背面部ストッパ５０Ａは、下部ストッパ５１Ａと、上部ストッパ５２Ａとからなる。下部及び上部ストッパ５１Ａ，５２Ａには、共に板状の部材が用いられている。下部ストッパ５１Ａは、２枚の略三角形状の部材からなる。また、下部及び上部ストッパ５１Ａ，５２Ａは、通常時において着座者の背面部が接触する部位を避けて設けられている。このような支持構造物２０Ａ，４０Ａにおいても本発明所定の効果を得ることができる。
【実施例３】
【００８４】
次に、本発明の実施例３を図面に基づいて説明する。図５には、実施例３による支持構造物が採用された椅子が示され、上記図１に対応させて表している。実施例１に対してストッパを変更した。
【００８５】
図５に示されるように、椅子１０Ｂは、金属製のフレーム１１と、このフレーム１１に取り付けられ着座者の臀部を支持する臀部支持構造物２０Ｂと、フレーム１１に取り付けられ着座者の背面部を支持する背面部支持構造物４０Ｂとからなる。
【００８６】
臀部支持構造物２０Ｂに設けられている臀部ストッパ３０Ｂは、前部ストッパ３１Ｂのみによって形成されている。前部ストッパ３１Ｂは四角形の点状の部材が多数設けられることにより構成されている。前部ストッパ３１Ｂは、通常時において着座者の臀部が接触する部位を避けて設けられている。
【００８７】
背面部支持構造物４０Ｂに設けられている背面部ストッパ５０Ｂは、下部ストッパ５１Ｂと、上部ストッパ５２Ｂとからなる。下部及び上部ストッパ５１Ｂ，５２Ｂには、共に四角形の点状の部材が用いられている。下部及び上部ストッパ５１Ｂ，５２Ｂは、通常時において着座者の背面部が接触する部位を避けて設けられている。このような支持構造物２０Ｂ，４０Ｂにおいても本発明所定の効果を得ることができる。
【実施例４】
【００８８】
次に、本発明の実施例４を図面に基づいて説明する。図６には、実施例４による支持構造物が採用された椅子が示され、上記図１に対応させて表している。実施例１に対してストッパを変更した。
【００８９】
図６に示されるように、椅子１０Ｃは、金属製のフレーム１１と、このフレーム１１に取り付けられ着座者の臀部を支持する臀部支持構造物２０Ｃと、フレーム１１に取り付けられ着座者の背面部を支持する背面部支持構造物４０Ｃとからなる。
【００９０】
臀部支持構造物２０Ｃに設けられている臀部ストッパ３０Ｃは、略長方形状の前部ストッパ３１Ｃのみによって形成されている。前部ストッパ３１Ｃは、臀部膜状部材２２の平坦面部２２ａ及び湾曲面部２２ｂの境界に渡って形成されている。前部ストッパ３１Ｃは、通常時において着座者の臀部が接触する部位を避けて設けられている。
【００９１】
背面部支持構造物４０Ｃに設けられている背面部ストッパ５０Ｃは、直線上の下部ストッパ５１Ｃのみからなる。下部及び上部ストッパ５１Ｃ，５２Ｃには、共に四角形の点状の部材が用いられている。下部ストッパ５１Ｃは、背面部膜状部材４２の一般面部４２ａ及び傾斜面部４２ｂに渡って形成されている。下部ストッパ５１Ｃは、通常時において着座者の背面部が接触する部位を避けて設けられている。このような支持構造物２０Ｃ，４０Ｃにおいても本発明所定の効果を得ることができる。
【実施例５】
【００９２】
次に、本発明の実施例５を図面に基づいて説明する。図７には、実施例５による支持構造物が採用された椅子が示され、上記図１に対応させて表している。実施例１に対してストッパを変更した。
【００９３】
図７に示されるように、椅子１０Ｄは、金属製のフレーム１１と、このフレーム１１に取り付けられ着座者の臀部を支持する臀部支持構造物２０Ｄと、フレーム１１に取り付けられ着座者の背面部を支持する背面部支持構造物４０Ｄとからなる。
【００９４】
臀部支持構造物２０Ｄに設けられている臀部ストッパ３０Ｄは、幅方向にわたって延びている前部ストッパ３１Ｄと、幅方向に沿って延びている後部ストッパ３２Ｄと、前部ストッパ３１Ｄの幅方向の両端から後部ストッパ３２Ｄの幅方向の両端に延びている接続部３３Ｄと、後部ストッパ３２Ｄの幅方向の両端から臀部膜状部材２２の後部コーナ部まで延びている延長部３４Ｄとからなる。
【００９５】
前部ストッパ３１Ｄは、臀部膜状部材２２の平坦面部２２ａ及び湾曲面部２２ｂの境界に渡って形成されている。それぞれ幅方向に向かって直線状に延びている前部及び後部ストッパ３１Ｄ，３２Ｄを接続部３３Ｄによって接続した構成を採用した場合にも、着座者の幅方向への移動を抑制することができる。通常時において着座者の臀部が接触する部位を避けて前部ストッパ３１Ｄ、後部ストッパ３２Ｄ及び接続部３３Ｄが形成されている。
【００９６】
背面部支持構造物４０Ｄに設けられている背面部ストッパ５０Ｄは、直線上の下部ストッパ５１Ｄと、この下部ストッパ５１Ｄの幅方向両端から背面部膜状部材４２の下部コーナ部まで延びている下部延長部５３Ｄと、下部ストッパ５１Ｄの幅方向両端から背面部膜状部材４２の上部コーナ部まで延びている上部延長部５４Ｄとからなる。このような支持構造物２０Ｄ，４０Ｄにおいても本発明所定の効果を得ることができる。
【実施例６】
【００９７】
次に、本発明の実施例６を図面に基づいて説明する。図８には、実施例６による支持構造物が採用された椅子が示され、上記図１に対応させて表している。実施例１に対してストッパを変更した。
【００９８】
図８に示されるように、椅子１０Ｅは、金属製のフレーム１１と、このフレーム１１に取り付けられ着座者の臀部を支持する臀部支持構造物２０Ｅと、フレーム１１に取り付けられ着座者の背面部を支持する背面部支持構造物４０Ｅとからなる。
【００９９】
臀部支持構造物２０Ｅに設けられている臀部ストッパ３０Ｅは、略Ｕ字状の２つの前部ストッパ３１Ｅと、これらの前部ストッパ３１Ｅの後方において臀部膜状部材２２を装飾するように設けられている装飾部３５Ｅとからなる。
【０１００】
背面部支持構造物４０Ｅに設けられている背面部ストッパ５０Ｅは、背面部膜状部材４２を装飾するように設けられている。
【０１０１】
ストッパ３０Ｅ，５０Ｅは、着座者の姿勢を保つ目的に加え、支持構造物２０Ｅ，４０Ｅを装飾することを目的に設けることもできる。このような支持構造物２０Ｅ，４０Ｅにおいては、本発明所定の効果に加え、高い意匠性を確保することができる。
【０１０２】
尚、本発明による膜状部材は、枠状部材に周縁を支持される物を例に説明したが、フレームに直接張設される形式のものであっても適用可能であり、これらの形式のものに限られるものではない。この他、椅子の形状、ストッパの素材、位置、形状、製法などは、本発明の趣旨に反しないものである限りすべて含まれる。
【産業上の利用可能性】
【０１０３】
本発明の支持構造物は、椅子の着座面部又は背面部に適用するのに好適である。
【符号の説明】
【０１０４】
１０，１０Ａ，１０Ｂ，１０Ｃ，１０Ｄ，１０Ｅ…椅子
１１…フレーム
２０，２０Ａ，２０Ｂ，２０Ｃ，２０Ｄ，２０Ｅ…臀部支持構造物(支持構造物)
２１…臀部枠状部材(枠状部材)
２２…臀部膜状部材(膜状部材)
３０，３０Ａ，３０Ｂ，３０Ｃ，３０Ｄ，３０Ｅ…臀部ストッパ(ストッパ)
３１ａ，５１ａ，５２ａ…基部
３１ｂ，５１ｂ，５２ｂ…垂直部
４０，４０Ａ，４０Ｂ，４０Ｃ，４０Ｄ，４０Ｅ…背面部支持構造物(支持構造物)
４１…背面部枠状部材(枠状部材)
４２…背面部膜状部材(膜状部材)
５０，５０Ａ，５０Ｂ，５０Ｃ，５０Ｄ，５０Ｅ…背面部ストッパ(ストッパ)
【図１】
2015016232.tif 000003
【図２】
2015016232.tif 000004
【図３】
2015016232.tif 000005
【図４】
2015016232.tif 000006
【図５】
2015016232.tif 000007
【図６】
2015016232.tif 000008
【図７】
2015016232.tif 000009
【図８】
2015016232.tif 000010
【図９】
2015016232.tif 000011